(57)【特許請求の範囲】
【請求項１】
穂先竿と、複数本の中間竿と、釣糸導入部を設けた大径竿管とを有する中通し釣竿であって、
前記穂先竿の竿管本体内側に釣糸案内部を突出形成し、
前記穂先竿の先端に、穂先竿を継合する中間竿の先端内径より小さい外径で重量が０．３ｇ以下に形成されたトップガイドを外嵌すると共に、前記トップガイドのガイド本体の先端に内径ｄの耐摩耗性を有するガイドリングを固定し、
前記ガイド本体の内面に、前記穂先竿の先端縁が突き当てられる規制部としての機能を有する小径部を形成し、
前記穂先竿の竿管本体先端部の内側径をｄ０、この部分に形成された前記釣糸案内部の内径をｄ１、前記小径部の内径をｄ２とした場合、
ｄ０＞ｄ２＞ｄ１≧ｄとし、
前記耐摩耗性を有するガイドリングの内径ｄを１．５ｍｍ以上に形成したことを特徴とする中通し釣竿。
【請求項２】
穂先竿と、複数本の中間竿と、釣糸導入部を設けた大径竿管とを有する中通し釣竿であって、
前記穂先竿の竿管本体内側に釣糸案内部を突出形成し、
前記穂先竿の先端に、穂先竿を継合する中間竿の先端内径より小さい外径で重量が０．３ｇ以下に形成されたトップガイドを外嵌すると共に、前記トップガイドのガイド本体の先端に内径ｄの耐摩耗性を有するガイドリングを固定し、
前記ガイド本体の内面に、前記穂先竿の先端縁が突き当てられる規制部としての機能を有する小径部を形成し、
前記穂先竿の竿管本体先端部の内側径をｄ０、この部分に形成された前記釣糸案内部の内径をｄ１、前記小径部の内径をｄ２とした場合、
ｄ０＞ｄ２＞ｄ１とし、かつ、前記耐摩耗性を有するガイドリングの内径ｄを前記釣糸案内部の内径ｄ１より０．５ｍｍ以内の範囲で大きく形成し、
前記耐摩耗性のガイドリングの内径ｄを１．５ｍｍ以上に形成したことを特徴とする中通し釣竿。
【請求項３】
前記耐摩耗性を有するガイドリングの内側後部は、前記ガイド本体の小径部より内方に突出している部分が曲面又は傾斜面に形成されていることを特徴とする請求項１又は２に記載の中通し釣竿。
【請求項４】
前記釣糸案内部の内側前部は、前記ガイド本体の小径部より内方に突出している部分が曲面又は傾斜面に形成されていることを特徴とする請求項１乃至３のいずれか１項に記載の中通し釣竿。
【請求項５】
前記耐摩耗性を有するガイドリングの先端にフランジ部を形成したことを特徴とする請求項１乃至４のいずれか１項に記載の中通し釣竿。
【発明の詳細な説明】
【０００１】
【発明の属する技術分野】
本発明は、穂先部分に特徴を有する中通し釣竿に関する。
【０００２】
【従来の技術】
従来、魚釣りに用いられる釣竿の一つとして中通し釣竿が知られている。この中通し釣竿は、使用に際して糸絡みが少ないという特徴があり、元竿側にリールから繰り出された釣糸を竿管内に導入する釣糸導入部が、また、穂先竿先端部に釣糸を導出するトップガイドが装着された構成となっている。
【０００３】
前記トップガイドは、従来から様々な構成が知られており、例えば、特許第２９１９７７７号公報には、穂先竿先端に装着される金属製の筒状体の先端内側にガイドリングを固定したトップガイドが開示されている。このガイドリングは、セラミックス等の耐摩耗性材料で形成されており、これにより糸抵抗の軽減を図ると共に、耐摩耗性の向上を図っている。また、このガイドリングは、筒状体先端の径方向膨出部の内側に、穂先竿の先端縁に当接した状態で嵌着されており、外部からの衝撃等に対して保護されている。
【０００４】
【発明が解決しようとする課題】
しかし、穂先竿先端に、上記したような構成のトップガイドを装着すると、トップガイドの重さにより釣竿の調子が悪くなるという問題がある（竿を振ったとき、撓り具合がベタ付いた調子になる）。
【０００５】
このため、トップガイドの重量を軽量化すればよいが、トップガイド本体（上記構成では筒状体）や、ガイドリングを小型軽量化しようとすると、両者の固定範囲が少なくなるため、使用中の衝撃等でガイドリングが取れ易いという不具合が生じてしまう。特に、上記した公知例の構成では、ガイドリングが穂先竿先端縁に接触していることから、穂先竿でガイドリングを突き上げてガイドリングが取れ易くなってしまう。更に、小型軽量化を図るべく、ガイドリングを小型化すると、それに伴って内径が小さくなってしまい、釣糸の結び目等の接触によってガイドリングが取れ易くなってしまう。
【０００６】
本発明は、上記した問題に基づいてなされたものであり、竿全体の調子の向上が図れるトップガイドを装着した中通し釣竿を提供することを目的としており、更には、前記トップガイドに装着されるガイドリングの糸抵抗の軽減及び外れを防止すると共に、耐摩耗性、耐久性の向上を図った中通し釣竿を提供することを目的とする。
【０００７】
【課題を解決するための手段】
上記した課題を解決するために、本発明は、穂先竿と、複数本の中間竿と、釣糸導入部を設けた大径竿管とを有する中通し釣竿であって、前記穂先竿の竿管本体内側に釣糸案内部を突出形成し、前記穂先竿の先端に、穂先竿を継合する中間竿の先端内径より小さい外径で重量が０．３ｇ以下に形成されたトップガイドを外嵌すると共に、前記トップガイドのガイド本体の先端に内径ｄの耐摩耗性を有するガイドリングを固定し、前記ガイド本体の内面に、前記穂先竿の先端縁が突き当てられる規制部としての機能を有する小径部を形成し、前記穂先竿の竿管本体先端部の内側径をｄ０、この部分に形成された前記釣糸案内部の内径をｄ１、前記小径部の内径をｄ２とした場合、ｄ０＞ｄ２＞ｄ１とし、かつ、前記耐摩耗性を有するガイドリングの内径ｄを前記釣糸案内部の内径ｄ１より０．５ｍｍ以内の範囲で大きく形成し、前記耐摩耗性のガイドリングの内径ｄを１．５ｍｍ以上に形成したことを特徴とする。
【０００８】
【０００９】
また、上記した課題を解決するために、本発明は、穂先竿と、複数本の中間竿と、釣糸導入部を設けた大径竿管とを有する中通し釣竿であって、前記穂先竿の竿管本体内側に釣糸案内部を突出形成し、前記穂先竿の先端に、穂先竿を継合する中間竿の先端内径より小さい外径で重量が０．３ｇ以下に形成されたトップガイドを外嵌すると共に、前記トップガイドのガイド本体の先端に内径ｄの耐摩耗性を有するガイドリングを固定し、前記ガイド本体の内面に、前記穂先竿の先端縁が突き当てられる規制部としての機能を有する小径部を形成し、前記穂先竿の竿管本体先端部の内側径をｄ０、この部分に形成された前記釣糸案内部の内径をｄ１、前記小径部の内径をｄ２とした場合、ｄ０＞ｄ２＞ｄ１とし、かつ、前記耐摩耗性を有するガイドリングの内径ｄを前記釣糸案内部の内径ｄ１より０．５ｍｍ以内の範囲で大きく形成し、前記耐摩耗性のガイドリングの内径ｄを１．５ｍｍ以上に形成したことを特徴とする。
【００１０】
【発明の実施の形態】
以下、本発明に係る中通し釣竿の実施形態について説明する。
図１乃至図３は、本発明の第１の実施形態を示す図であり、図１は、中通し釣竿（釣竿とも称する）の全体構成を示す図、図２は、穂先竿と第１中間竿（穂持竿）の構成を示す縦断面図、図３は、穂先竿に装着されたトップガイドを示す縦断面図である。
【００１１】
本実施形態の釣竿Ｒは、先端から順に、穂先竿１、第１中間竿２（穂持竿）、第２中間竿３、第３中間竿４、そして、大径竿管５とを備えて構成されており、これらの各竿が、相互に継合部Ｐによって抜け止めされた、いわゆる振り出し式に構成されたものである。この場合、大径竿管５は、それ自体が、元竿として構成されていても良いし、その後方に、別途、元竿を継合するような構成であっても良い。
【００１２】
各竿（竿管とも称する）は、例えば、強化繊維に合成樹脂を含浸させたプリプレグシートを管状にする公知の手法によって成形されており、上記した継合部分の外周には、割れ等を防止するように、口金６が装着されている。また、管状に成形された各竿管の内部には、釣糸が挿通されることから、その接触抵抗を軽減するように、スパイラル状の突起７が形成されている。
【００１３】
前記元竿５の基端側には、魚釣用リールが装着されるリールシート８が設けられており、先端側には、魚釣用リールから繰り出される釣糸を釣竿内に導入するブリッジ状の釣糸導入ガイド９ａを具備した釣糸導入部９が設けられている。なお、釣糸導入部９は、中間竿に設けられていても良く、また、釣糸導入ガイドの構成については、図に示すような形状に限定されるものではない。
【００１４】
前記穂先竿１の先端部分には、魚釣用リールから繰り出され、釣竿内に導入された釣糸を導出するトップガイド１０が設けられている。以下、このトップガイド１０の構成、及びそれを装着した際に得られる作用効果について詳細に説明する。
【００１５】
トップガイド１０は、円筒状で穂先竿の先端内周に嵌着される取付部１２ｄと、この取付部１２ｄの先端側に一体形成された拡径部１２ａとを備えたガイド本体１２を有しており、拡径部１２ａの先端内周には、軸芯方向に突出するガイドリング係止部１２ｂが形成されている。また、前記取付部１２ｄと拡径部１２ａは、ガイド本体１２が穂先竿１の先端内周に嵌着された際、穂先竿の先端外周面と拡径部１２ａの外周面とが、略面一状となるように形成されている。
【００１６】
前記取付部１２ｄと拡径部１２ａとの間の境界部分は段差になっており、この段差は、穂先竿先端の肉厚と対応して穂先竿１の先端縁が突き当てられるように規制部１２ｃとしての機能を有する。これにより、トップガイドを装着した際に、ガイド本体の規制部１２ｃにおいて、穂先竿の位置をより確実に規制できるようになっている。
【００１７】
前記拡径部１２ａの内側には、ガイドリング１５が固着されており、このガイドリング１５は、前記ガイドリング係止部１２ｂを挟着して外れ難くなるように前フランジ１５ａと後フランジ１５ｂとを備えている。この場合、前フランジ１５ａの内周は、先端に移行するに従って、次第に拡径する曲面状に形成されており、開口位置で導出方向が変わる釣糸の摺動抵抗を軽減するようにしている。なお、前フランジ１５ａと後フランジ１５ｂとの間に規定される凹部や、後フランジ１５ｂについては、円周方向の一部のみに形成されるような構成であっても良い。
【００１８】
上記した構成のトップガイド１０は、総重量が０．３ｇ以下、好ましくは０．２ｇ以下となるように構成されており、穂先竿１に嵌着した際に、穂先竿の調子を低下させないようにしている。すなわち、総重量を０．３ｇ以下とすることで、釣竿を振った際に、穂先竿１の撓り具合がベタ付くような感覚を抑制できるようになり、調子を向上することができると共に、持ち重りを防止することが可能となる。
【００１９】
従って、トップガイド１０は、総重量が０．３ｇ以下でも、できるだけ軽量に構成されていることが好ましく、具体的には、成形時のバラツキ、強度を確保するための肉厚等を考慮して、ガイド本体１２は、０．０１〜０．１５ｇの重さの範囲で、ガイドリング１５は、０．０３〜０．１０ｇの重さの範囲で形成しておくことが好ましく、より好ましくは、ガイド本体１２の重さをガイドリング１５より軽くするのが良い。この場合、前記ガイド本体１２は、より軽量化を図るべく、比重が５．０以下、好ましくは２．５以下の合成樹脂によって形成するのが好ましいが、このような材料以外にも、金属、繊維強化樹脂、セラミック等によって形成しても良い。
【００２０】
前記ガイドリング１５は、釣糸が摺接する部分であることから、耐摩耗性が高く、滑り性が良好な材料、例えば、ＳｉＣ、セラミック等によって形成されており、その内径ｄは、１．５ｍｍ以上となるように形成されている。この場合、内径ｄは、１．６５ｍｍ以上にするのが好ましい。
【００２１】
このように、内径ｄを１．５ｍｍ以上にすることで、小型軽量化を図った上で、釣糸が挿通する部分の口径が大きくなるため、釣糸を円滑に案内できると共に糸抵抗の低減が図れる。また、ガイドリング１５は、竿管、すなわち穂先竿１の先端部分とは接触しない拡径部１２ａの内側に囲うように固定されていることから、小型化を図っても取れが極力防止され、より強度、耐久性に優れた構成となる。
【００２２】
前記ガイドリング１５の前フランジ１５ａは、その外径が、前記拡径部１２ａの外周面及び穂先竿１の先端部分における外周面と、略面一状となるように形成しておくことが好ましい。このような構成により、竿先部分が面一状になり、釣糸の引っ掛かりを効果的に防止することができる。
【００２３】
また、上記した構成のトップガイド１０は、穂先竿１を中間竿２に収納できるように、中間竿２の先端内径よりも小さい外径となるように形成されている。具体的には、中間竿２に対して出し入れしやすく、かつ調子が良好となるように、トップガイド１０は、その外径が中間竿２の先端内径に対して、１ｍｍ以上小さくなるように形成しておくのが好ましい。
【００２４】
上記した構成において、穂先竿１の竿管本体先端部の内側径をｄ０、この部分に形成された釣糸案内部７の内径をｄ１、ガイド本体１２において最も小径の部分となる取付部１２ｄにおける内径をｄ２とした場合、ｄ０＞ｄ２＞ｄ１≧ｄとなるように、穂先竿１及びトップガイド１０を形成しておくことが好ましい。
【００２５】
このように、竿管本体先端部の内側径ｄ０、ガイド本体１２の取付部１２ｄにおける内径ｄ２が、釣糸案内部７の内径ｄ１及びガイドリング１５の内径ｄよりも大きく設定されていることから、釣糸は、釣糸案内部７の頂部とガイドリング１５の内周部分との間で摺接し、穂先竿の竿管本体先端部の内側面や、ガイド本体１２の内周面に摺接しないため、釣糸を円滑に案内できると共に、糸抵抗の軽減が図れる。
【００２６】
また、穂先竿１の竿管本体先端部の内側径ｄ０が、ガイド本体１２の取付部１２ｄにおける内径ｄ２に対して大きく設定されている（ｄ０＞ｄ２）ことから、取付部１２ｄを通過した後は、円滑に釣糸が通るようになり、釣糸案内部７の内径ｄ１がガイドリング１５の内径ｄ以上となるように設定されている（ｄ１≧ｄ）ことから、穂先竿の破損が生じ難い構成とすることができる。この場合、両者の径差（ｄ１−ｄ）が、０．５ｍｍ以下となるように形成することが好ましい。
【００２７】
上記した構成において、ガイドリング１５の内側後部は、ガイド本体１２の取付部１２ｄより内方に突出している部分Ｒ１が、釣糸を受けるように曲面又は傾斜面に形成されていることことが好ましい。このような形状により、釣糸の傷付きを防止してより一層円滑に案内できると共に、釣糸の摺動抵抗を軽減して、ガイドリングの取れをより確実に防止することができる。
【００２８】
また、釣糸案内部７の内側前部は、ガイド本体１２の取付部１２ｄより内方に突出している部分Ｒ２が釣糸を受けるように曲面又は傾斜面に形成されていることが好ましい。このような形状により、釣糸の傷付きを防止してより一層円滑に案内できると共に、釣糸案内部の破損を確実に防止できる。同様に、ガイド本体１２の規制部１２ｃによって形成される内側屈曲部Ｒ３についても、釣糸を受けるように、曲面又は傾斜面に形成されていることが好ましい。
【００２９】
また、上記した構成の穂先竿１及びトップガイド１０における各構成要素の寸法関係は、以下のように設定されていることが好ましい。
【００３０】
穂先竿１の竿管本体先端部の内側径ｄ０を、１．５０〜２．５０ｍｍ程度、好ましくは１．５５〜２．００ｍｍ程度で形成すると共に、その肉厚ｔを０．１６〜０．３６ｍｍで形成することが好ましい。このような構成により、糸通し性を向上しつつ、調子の良い（撓り性の良い）釣竿にできる。
【００３１】
釣糸案内部７の内径ｄ１を、１．４５〜１．９０ｍｍ程度で形成すると共に、その高さｈを０．０５〜０．３ｍｍ、好ましくは０．２８ｍｍ以下で形成することが好ましい。このような構成により、竿管本体部分の径が大きくなることを防止でき、竿先部がしなり性の良い優れた調子の釣竿となる。
【００３２】
ガイド本体１２における取付部１２ｄの内径ｄ２は、ガイドリング１５と釣糸案内部７の根元を保護できる程度の径、具体的には、ｄ０より小さく形成することが好ましい。また、その取付部における肉厚ｔ１は、薄肉厚で大径の内径にすることから、穂先竿１の先端部における肉厚ｔよりも薄くなるように形成することが好ましい。
【００３３】
次に、本発明の別の実施形態について説明する。なお、以下に説明する実施形態においては、穂先竿先端におけるトップガイド部分を示すこととし、上記した実施形態と同様な構成を有する部分については、同一の参照符号を付して、その詳細な説明については省略する。
【００３４】
図４は、本発明の第２の実施形態を示す図であり、トップガイド部分を拡大した縦断面図、図５は、その変形例を示す図である。
【００３５】
この実施形態のトップガイド１０ａは、円筒状の取付部１２ｄの先端側に形成される拡径部１２ｅが、上記実施形態と比較して、穂先竿の外周から径方向外方に突出する大径となるように形成したものである。このため、大径部となる拡径部１２ｅに移行する部分１２ｆは、その基端部分が、穂先竿１の先端縁の規制部１２ｃとなっている。また、図に示すように、移行する部分１２ｆはテーパ形状となっているが、図５に示す変形例のように、糸掛かりしないように曲面状に形成しても良い。
【００３６】
なお、この実施形態では、ガイドリング１５の内径ｄを、ガイド本体１２における取付部１２ｄの内径ｄ２より少し大径（＋０．５ｍｍ程度）にすることで、ガイドリングを薄肉厚にし、トップガイドの小型、軽量化が図れるようにしているが、逆に、上記した実施形態のように、同径以下にしても良い。
【００３７】
また、この実施形態では、ガイドリング１５は、その内径ｄが、釣糸案内部７の内径ｄ１よりも０．５ｍｍ以内の範囲で大きくなるように形成されている。このように構成することで、竿管の破損を防止しつつ、糸抵抗を少なくできる。また、竿から外に出た釣糸の方向変化があっても、糸抵抗の増加を抑える（少なくする）ことができる。
【００３８】
また、ガイド本体１２の取付部１２ｄを穂先竿先端に内嵌させる構成においては、穂先竿に対する取付部より先の先端を拡径させることなく（拡径部１２ｅを形成することなく）、ガイド本体１２における取付部１２ｄの内径ｄ２と同径で前方に延長形成しても良い。この場合、より薄肉厚のガイドリングを固定すれば良く、これにより、トップガイドをより小型、軽量化することが可能となる。
【００３９】
図５に示す変形例のトップガイド１０ｂは、上記したように、取付部１２ｄの先端側に形成される拡径部１２ｅに移行する部分１２ｆが、糸掛かりしないように曲面状に形成したものである。このような、曲面形状とすることで、ガイドリング１５を薄肉厚、小型化して、トップガイドの軽量化を図ることが可能となる。
【００４０】
図６乃至図９は、本発明の第３の実施形態を示す図であり、図６は、穂先竿とトップガイドを示す縦断面図、図７は、その拡大図、図８は、トップガイドの本体部の構成を示す図、そして、図９は、ガイドリングの構成を示す図である。
【００４１】
この実施形態のトップガイド１０ｃは、円筒状に形成されたガイド本体２２が、穂先竿１の先端に外嵌されるように構成されている。ガイド本体２２は、略ストレート状に延出（先端側は拡径していても良い）しており、その先端側の内周には、軸芯方向に突出するガイドリング係止部２２ａが形成され、ここに耐摩耗性を有するガイドリング１５が、上述した構成と同様に取着されている。
【００４２】
また、ガイドリング係止部２２ａより基端側のガイド本体２２の内面には、小径部２２ｄが形成されており、穂先竿１に嵌着固定される際、上記した構成と同様、穂先竿１の先端縁が突き当てられる規制部２２ｃとしての機能を果たしている。
【００４３】
なお、この実施形態においても、穂先竿１の竿管本体先端部の内側径をｄ０、この部分に形成された前記釣糸案内部の内径をｄ１、ガイド本体２２の小径部２２ｄの内径をｄ２、ガイドリング１５の内径をｄとした場合、これらの寸法関係については、上述した実施形態と同様に構成することが好ましい。また、ガイド本体２２の穂先竿１に対する肉厚ｔ２は、釣糸が引っ掛からないように、０．１〜０．３ｍｍ程度にするのが好ましい。
【００４４】
また、上記したガイドリング１５については、先フランジ１５ａの外径をＤ１、後フランジ１５ｂの外径をＤ２、各フランジ間の中間部の外径をＤ３、先フランジ１５ａの軸方向長さをＬ１、後フランジ１５ｂの軸方向長さをＬ２、各フランジ間の中間部の軸方向長さをＬ３とした場合、以下の条件を満足するように形成することが好ましい。
（１）Ｄ１＞Ｄ２に形成する。
このように、先フランジ１５ａの肉厚を、後フランジ１５ｂの肉厚よりも厚くなるように形成することで、先フランジの内側のＲを大きくすることが可能となる。なお、具体的には、上述した総重量の範囲内になるように、Ｄ１は、３．４〜４．０ｍｍ程度とし、Ｄ２は、２．８〜３．５ｍｍ程度で形成することが好ましい。
（２）Ｌ１≦０．７ｍｍとなるように形成する。
先フランジ１５ａの軸方向の長さは、長くし過ぎると、重量が重くなったり、フランジ部分が欠け易くなることから、上記したように、０．７ｍｍ以下となるように形成する。この場合、Ｌ１が短くなり過ぎると、先フランジ１５ａのＲが小さくなるため、Ｌ１≧０．５ｍｍとしておくことが好ましい。
（３）Ｌ１＞（Ｄ３−ｄ）／２となるように形成する。
このように、先フランジ１５ａの軸方向の長さを、ガイドリングの中間部の肉厚よりも長くなるように形成することで、釣糸が摺動した際の摩耗に強く、小型であっても、長期の使用に耐えることが可能となる。なお、ガイドリング１５の軸方向の長さＬ１＋Ｌ２＋Ｌ３については、重量等を考慮して、２．０〜３．０ｍｍ程度で形成することが好ましい。
（４）Ｄ１≦Ｄ４となるように形成する。
このように、先フランジ１５ａの外径を、本体部２２の先端外径以下にすることで、フランジの破損を効果的に防ぐことができる。この場合、両者の径差（Ｄ４−Ｄ１）が、１ｍｍ以内となるように形成することが好ましい。
【００４５】
また、トップガイド１０ｃの外径（ガイド本体２２における外径Ｄ４）は、穂先竿１の先端外径よりも僅かに大きくする（径差が１ｍｍ以内）のが良い。このように形成することで、トップガイドの重量を軽くすることができ、シャープ感のある調子が実現できる。
（５）ガイドリングの形状
ガイドリング１５は、例えば、前フランジや後フランジが形成されていない構成（ストレート形状）であっても良い。上述したように、前フランジを形成しておくことにより、竿先で釣糸の方向変化があっても、釣糸を円滑に案内でき、耐摩耗性の向上が図れる。
【００４６】
また、前フランジ１５ａと後フランジ１５ｂとの間に形成される凹部は、円周方向の一部に形成し、その部分にガイド本体の一部が引っ掛かるように固定しても良い。更に、フランジは、円周方向で所定の間隔で突部を突出させた構成であっても良い。
【００４７】
なお、上記した（１）〜（５）に詳述したガイドリング１５の構成は、上述した第１の実施形態及び第２の実施形態においても適用することが可能である。
【００４８】
以上、本発明に係る中通し釣竿の実施形態について説明したが、本発明は、上述した各要件を任意に組み合わせて構成したものであっても良い。
【００４９】
【発明の効果】
本発明によれば、竿全体の調子の向上が図れるトップガイドを装着した中通し釣竿が得られ、更には、前記トップガイドに装着されるガイドリングの糸抵抗の軽減及び外れが防止でき、耐摩耗性、耐久性が向上した中通し釣竿が得られる。
【図面の簡単な説明】
【図１】  本発明に係る中通し釣竿の一実施形態を示す図。
【図２】  図１の中通し釣竿の穂先竿と第１中間竿（穂持竿）の構成を示す縦断面図。
【図３】  図１の穂先竿に装着されたトップガイドを示す縦断面図。
【図４】  本発明の第２の実施形態を示す図であり、トップガイド部分を拡大した縦断面図。
【図５】  第２の実施形態の変形例を示した縦断面図。
【図６】  本発明の第３の実施形態を示す図であり、穂先竿とトップガイドを示す縦断面図。
【図７】  図６の拡大図。
【図８】  トップガイドの本体部の構成を示す図。
【図９】  ガイドリングの構成を示す図。
【符号の説明】
１  穂先竿
７  釣糸案内部
１０，１０ａ，１０ｂ，１０ｃ  トップガイド
１２，２２  ガイド本体
１２ａ  拡径部
１２ｂ  ガイドリング係止部
１５  ガイドリング
１５ａ  先フランジ
１５ｂ  後フランジ
【図１】
0004027057.tif 000002
【図２】
0004027057.tif 000003
【図３】
0004027057.tif 000004
【図４】
0004027057.tif 000005
【図５】
0004027057.tif 000006
【図６】
0004027057.tif 000007
【図７】
0004027057.tif 000008
【図８】
0004027057.tif 000009
【図９】
0004027057.tif 000010